【事件の表示】
　特許第２９９９６６２号「印刷制御装置および印刷制御方法」の請求項１ないし４に係る特許に対する特許異議の申立てについて、次のとおり決定する。
【結　論】
　訂正を認める。
　特許第２９９９６６２号の請求項１ないし４に係る特許を取り消す。
【理　由】
１．手続の経緯
　本件特許第２９９９６６２号の請求項１乃至請求項４に係る発明は、平成５年１１月２６日に特許出願され、平成１１年１１月５日にその特許の設定登録がなされ、その後、請求項１乃至請求項４に係る発明の特許について梅沢晃より特許異議の申立てがなされ、取消理由通知がなされ、その指定期間内である平成１３年６月４日に訂正請求がなされたものである。
　
２．訂正の適否についての判断
　ア．特許権者が求めている訂正の内容は、次のとおりである。
　訂正事項ａ：請求項１及び請求項３記載の「外部装置」を「ホストコンピュータ」とそれぞれ訂正する。
　訂正事項ｂ：明細書段落【０００５】及び【０００６】の「外部装置」を「ホストコンピュータ」とそれぞれ訂正する。
　訂正事項ｃ：請求項２及び請求項４記載の「表示パネル」を「パネル」とそれぞれ訂正する。
　訂正事項ｄ：明細書段落【０００５】及び【０００６】の「表示パネル」を「パネル」とそれぞれ訂正する。
　
　イ．訂正の目的の適否、新規事項の有無及び拡張・変更の存否
　訂正事項ａは、願書に添付した明細書の段落【０００９】の記載「図１において、１−１はホストコンピュータなどの外部機器」に基づき、請求項１及び請求項３に記載された「外部装置」をより下位概念である「ホストコンピュータ」に技術的に限定するもので、この訂正は、特許請求の範囲の減縮に相当する。
　また、訂正事項ｂは、訂正事項ａによる訂正に伴い、特許請求の範囲の記載と発明の詳細な説明の記載との整合を図るもので、明りょうでない記載の釈明に相当する。
　また、請求項１における「受付手段」の一態様である、請求項２に記載の「表示パネル」、及び請求項３における「受付ステップ」の一態様である、請求項４に記載の「表示パネル」、並びに、願書に添付した明細書の段落【０００５】及び【０００６】における「表示パネル」は、いずれも、同明細書の段落【００１０】及び【００１９】の記載及び図２の記載から、「パネル２−８」に相当していることは明らかであるから、訂正事項ｃ及び訂正事項ｄは、願書に添付した明細書及び図面の記載において、用語を統一するものであり、明りょうでない記載の釈明に相当する。
　そして、上記訂正は、いずれも新規事項の追加に該当せず、実質的に特許請求の範囲を拡張又は変更するものではない。
　
　ウ．むすび
　以上のとおりであるから、上記訂正は、特許法等の一部を改正する法律（平成６年法律第１１６号）附則第６条第１項の規定によりなお従前の例によるとされる、平成６年改正前特許法第１２６条第１項乃至第３項の規定に適合するので、当該訂正を認める。
　
３．特許異議の申立てについての判断
　ア．申立ての理由の概要
　特許異議申立人、梅沢晃は、甲第１号証（特開昭５４−４０６４０号公報）、甲第２号証（特開昭５７−１０２３８３号公報）、甲第３号証（特開平３−１９５６４１号公報）、甲第４号証（特開平５−２０４５６７号公報）、及び参考資料１（特開昭５９−８７５３９号公報）、参考資料２（特開平２−７５０１５号公報）を提示し、訂正前の請求項１乃至請求項４に係る発明は、甲第１号証乃至甲第４号証に記載された発明に基づいて当業者が容易に発明をすることができたものであり、特許法第２９条第２項の規定により、特許を受けることができないものであるから、特許を取り消すべきと主張している。
　また、訂正前の請求項２及び請求項４に係る発明についての特許は、特許法第３６条第５項第１号に規定する要件を満たしていない特許出願に対してなされたものであるら、特許を取り消すべきと主張している。
　
　イ．本件の請求項１乃至請求項４に係る発明
　上記２．で示したように上記訂正が認められるから、本件の請求項１乃至請求項４に係る発明（以下、「本件発明１」乃至「本件発明４」という。）は、上記訂正請求に係る訂正明細書の特許請求の範囲の請求項１乃至請求項４に記載された次のとおりのものである。
　「【請求項１】それぞれが個別の給紙手段を有する複数の印刷装置と接続している印刷制御装置であって、ホストコンピュータからデータを受信する受信手段と、前記受信手段により受信されたデータを格納する第１記憶手段と、前記第１記憶手段に格納されているデータを解析し、展開する解析展開手段と、前記解析展開手段により展開されたデータをぺージ単位で格納する第２記憶手段と、前記印刷装置の選択を受け付ける受付手段と、前記第２記憶手段に格納されているぺージ単位の同一データを、前記受付手段により受け付けられた前記選択に基づく前記印刷装置へ転送する転送手段とを有することを特徴とする印刷制御装置。
　【請求項２】前記受付手段は、パネルであることを特徴とする請求項１に記載の印刷制御装置。
　【請求項３】それぞれが個別の給紙手段を有する複数の印刷装置と接続している印刷制御装置の印刷制御方法であって、ホストコンピュータからデータを受信する受信ステップと、前記受信ステップにより受信されたデータを第１記憶手段に格納する第１格納ステップと、前記第１記憶手段に格納されているデータを解析し、展開する解析展開ステップと、前記解析展開ステップにより展開されたデータをぺージ単位で第２記穏手段に格納する第２格納ステップと、前記印刷装置の選択を受け付ける受付ステップと、前記第２記憶手段に格納されているぺージ単位の同一データを、前記受付ステップにより受け付けられた前記選択に基づく前記印刷装置へ転送する転送ステップとを有することを特徴とする印刷制御方法。
　【請求項４】前記受付ステップは、パネルからの入力を受け付けることを特徴とする請求項３に記載の印刷制御方法。」
　
　ウ．引用例等
　当審が通知した取消理由に引用した引用例である、引用例１：特開昭５４−４０６４０号公報（甲第１号証）、引用例２：特開昭５７−１０２３８３号公報（甲第２号証）、引用例３：特開平３−１９５６４１号公報（甲第３号証）、引用例４：特開平５−２０４５６７号公報（甲第４号証）、引用例５：特開昭５９−８７５３９号公報（参考資料１）、引用例６：特開平２−７５０１５号公報（参考資料２）には、それぞれ下記の事項が記載されている。
　
　［引用例１］
　ａ．「セットされた原稿の読取画像情報信号と外部から送られた画像情報信号とを任意に切換えて何れかの画像情報のハードコピーを作成することのできる複数の複写機と、これら各複写機からの制御信号の内容に応じて複写機の書込部および画像情報信号の選択とページ揃えのシーケンス制御とを行なう制御回路とをそなえ、この制御回路によって前記各複写機に連動、単独、重複、ページ揃えの各複写動作を行なわせるようにした複合複写装置。」（特許請求の範囲）、
　ｂ．「第１図は、３台の複写機１，２，３を制御回路４によって制御するようにした一例を示すものである。また第２図は前記複写機１，２，３の構成を示すもので、原稿の情報を光学系によって光電変換素子に導いて画像情報信号を得る読取部２１と、この読取部２１からの画像情報信号からの増幅、サンプルホールド、論理動作などの処理を行なう信号処理部２２と、この処理が行なわれた情報信号からもとの画像を再生してハードコピー化する書込部２４およびこの書込部２４を駆動する書込駆動部２３と、前記読取部２１、信号処理部２２を介して得られた情報信号と端子Ａから送られてきた外部からの情報信号とを選択切換する情報信号切換部２５と、これら各構成部２１〜２５の動作制御を行なう制御部２６とによって構成されている。・・・さらにこの複写機は、前記情報信号切換部２５によって選択切換えされた情報信号を外部に送出する情報信号出力端子Ｄが設けられている。各複写機１，２，３の入出力端子Ａ（Ａ１，Ａ２，Ａ３），Ｂ（Ｂ１，Ｂ２，Ｂ３），Ｃ（Ｃ１，Ｃ２，Ｃ３）は第１図に示すように、制御回路４に接続されている。」（第２頁左上欄第５行〜右上欄９行）、
　ｃ．「１枚の原稿から複数枚のコピーをとりたいときには、各複写機１，２，３を連動状態にする。これは例えば各複写機１，２，３に連動スイッチを設け、これを制御回路４からの制御指令に応じてオンさせるようにすればよい。そして原稿を複写機１にセットしてこれを作動させると原稿の画像情報がその書込部２４に送られてハードコピーとなると同時に、その画像情報が制御回路４を通して他の複写機２，３にも送られ、それぞれのハードコピーが作られる。」（第２頁右上欄第１５行〜左下欄第４行）、
　ｄ．「各複写機１，２，３をそれぞれ単独運転させる（例えば前述した連動スイッチをオフにする）ことにより、３人の操作者が同時に勝手に使用することができるようになる。」（第２頁左下欄第９〜１２行）、
　ｅ．「１台の複写機に比して３倍のコピー速度が得られる」（第２頁左下欄第４〜５行）、
　ｆ．「第３図は前記制御回路４の具体的な構成例を示すもので、図中３１は前記複写機１，２，３から送られてくる状態あるいは指令信号を解読するデコーダで、・・・また、図中３８は、・・・何れの複写機の書込部を使ってハードコピーを行なわせるかを選択し、その結果複写機に書込指示の制御信号を与える書込部選択回路である。同じく３９は・・・この制御回路４に送られてきている画像情報信号のうちの何れを選択するかを決定する画像情報選択回路であり、・・・さらに図中４１，４２，４３は各複写機１，２，３から送られてきた画像情報信号をスイッチ入力Ｓ１，Ｓ２，Ｓ３に応じて切換えるためのアナログスイッチであり、４４はこのアナログスイッチ４１〜４３によって切換られた画像情報信号を読込んでこれを重畳するミキサである。また４５，４６，４７はアナログスイッチを示すもので、各スイッチ入力Ｃ１，Ｃ２，Ｃ３に応じてミキサ４４の出力が各複写機１，２，３のＡ１，Ａ２，Ａ３端子に送られる。」（第２頁右下欄第１０行〜第３頁右上欄第１５行）、
　ｇ．「１）連動複写動作の場合　いま、例えば原稿を複写機１にセットしたとする。そして連動スイッチをオンにし、コピー枚数をテンキーによって指示し、次いで複写スタートスイッチをオンにする。・・・複写機１の読取部２１で読取られた原稿の画像情報信号は信号処理部２２を経てＤ１のラインからアナログスイッチ４１に送られる。・・・端子Ｄ１から送られてきた画像情報信号はこのアナログスイッチ４１を通ってミキサ４４に送られ、さらにアナログスイッチ４５，４６，４７に送られる。・・・前記画像情報信号は各アナログスイッチ４５，４６，４７を通してＡ１，Ａ２，Ａ３端子に同時に供給される。これにより複写機１，２，３はその画像情報信号に応じてハードコピーを作成する。」（第３頁右上欄第１９行〜右下欄第１４行）、
　ｈ．「本装置はこれを複数の複写機と制御回路とを一体の筐体内に収納して１台の複写装置として構成することも、また各複写機をそれぞれ別個に設け、これらを１台の制御装置で制御するようにすることもできる。」（第４頁右下欄第１４〜１８行）、
　ｉ．「制御回路４にアナログスイッチ４１〜４３および４５〜４７を用いているが、これは画像情報信号をアナログ値の場合と規定したためであり、この画像情報が２値の場合（黒白）にはアナログスイッチを用いる必要がなくＡＮＤ回路を用いればよく、この場合のミキサ４４も単なるＯＲ回路でよいことになる。」（第５頁左上欄第３〜９行）。
　
　［引用例２］
　ａ．「本発明は被記録部材上に記録を行う記録装置に係わり、特に複数の記録部を有する記録装置に関する。」（第１頁右下欄第２〜４行）、
　ｂ．「（１）複数の被記録部材上に同時に記録を行う複数の記録部と、記録枚数を設定する設定手段と、設定された記録枚数により前記複数の記録部のうち同時記録を行う記録部を選択する記録部選択手段とを有することを特徴とする記録装置。・・・（４）前記複数の記録部は各記録部毎に被記録部材を収納する給紙カセットを有することを特徴とする特許請求の範囲第１項記載の記録装置。」（特許請求の範囲）、
　ｃ．「第２図は本発明の記録装置に適用される入力部の原稿読取装置の概略図である。」（第２頁左下欄第１０〜１１行）、
　ｄ．「第３図の動作を説明すると、ＣＣＤ回路１にて読み取られた画像データは・・・バッファ回路３を介してＲＡＭ（ランダムアクセスメモリ）等から成るメモリ４に格納される。このメモリ４の容量は・・・ページメモリ等の大容量まで任意に選択され・・・１ページ或は数ページ分の原稿を読み取ってメモリに格納した後、記録を開始することもできる。・・・メモリ４の画像データはメモリ制御回路５の制御のもとにバッファ回路６，７，８に出力される。バッファ回路のデータはドライブ回路９，１０，１１によって記録ヘッド１２，１３，１４を付勢し、記録が行われる。ドライブ回路９，１０，１１は制御回路１８によって、ドライブのオン・オフがコントロールされるので記録ヘッド１２，１３，１４は必要に応じて選択されることになる。」（第３頁右上欄第５行〜左下欄第１１行）、
　ｅ．「１８は全体の回路及び機械系をコントロールする制御回路、１９は記録枚数を設定するダイアル、記録開始を指示するスタートボタン等を有する操作パネルである。」（第３頁左上欄第２０行〜右上欄第４行）、
　ｆ．「本実施例では記録部を３ユニット設けたので、２枚のコピーの場合には従来の２倍のスピードでコピーを得ることができ、３枚コピーの場合には従来の３倍のスピードでコピーを得ることができる」（第４頁右上欄第８行〜１２行）、
　ｇ．「第４図は本発明の複数の記録部を有する記録装置において、複数の記録部を選択し記録する過程を示す概略のフローチャートである。第４図の例は記録部間にあらかじめ優先順位がつけられているもので、この例では第１の記録部（ＵＩ）が最も優先順位が高く、以下第２（Ｕ２）第３（Ｕ３）の記録部の順になっている。記録が開始される・・・と、まず、第３図１９の操作パネル等によって指定された記録枚数が制御回路１８の枚数カウンタにセットされる・・・次にこの枚数カウンタが３以上であるか否かを調べ・・・３以上である場合には・・・第１，第２，第３の記録部とも記録を開始する。・・・一方、枚数カウンタが２以下の場合には、２か１か調べ・・・２の場合には第１と第２の記録部の・・・１の場合には第１の記録部のみの記録・・・を行う。」（第３頁右下欄１０行〜第４ページ左上欄第１４行）、
　ｈ．「実施例においては記録装置における記録情報として、固体撮像素子によって読み取った原稿情報を例にとって説明したが、記録情報としては、キャラクタ・ジェネレータ等による文字・図形情報でもよい。」（第５頁左上欄第７〜１１行）。
　
　［引用例３］
　ａ．「本発明は、上位機器より入力した印字データを、印字用紙の頁単位に編集して印字出力する・・・ページプリンタ装置に関する。」（第１頁左下欄第１３〜１５行）、
　ｂ．「ホストコンピュータ３６から印字データがセントロインターフェイス３５を介してプリンタ装置１へ入力すると、前述のようにＣＰＵ２５はＲＯＭ２６の制御に従って受信バッファ２９へ印字データを順次入力する・・・受信バッファ２９に印字データが入力すると、以後ＣＰＵ２５は受信バッファ２５に書き込まれたデータを読み出してフレームメモリ３１へ描画データを作成する。すなわち、第６図のフローチャートに示すようにＣＰＵ２５は受信バッファ２９からデータを順次読み出しコマンド解析を行い・・・読み出されたデータが文字コードで有れば前述のようにイメージデータ発生部３０により対応する描画データ（ドットパターンデータ）に変換し、フレームメモリ３１に順次書き込む。」（第３頁左下欄第１５行〜右下欄第１６行）。
　
　［引用例４］
　ａ．「ＦＡＸ送受信部９内にはサーマルラインプリンタ９ａが内蔵されており・・・ＣＰＵ１の制御に基づいて、文書情報を印刷することも可能である。尚、通常の印刷の時には、印刷部１０を使用するものである。」（第４頁右欄第３３〜３８行）、
　ｂ．「実施例における各種情報の入力はキーボード７の他にＣＲＴ４の表示画面に表示された各種アイコンに対応するタッチパネル６上の面を指等で指定することにより、選択するものである。また、以下の説明の“・・・ボタン“は表示画面に表示された各種処理に対応するアイコンであり、そのボタンに対応するタッチパネル６の位置をタッチする動作を単に“タッチする”という。」（第２頁右欄第４１〜４７行）、
　ｃ．「ステップＳ４８で“普通紙”ボタンがタッチされたときには、ステップＳ４９で印刷媒体を“普通紙”とする。すなわち、印刷部１０でもって印刷する様に設定する。・・・またステップＳ５０で“ロール紙”ボタンがタッチされたと判断した場合には、ステップＳ５１で、今度は印刷媒体を“ロール紙”とする。すなわち、このときにはＦＡＸ送受信部９内のサーマルラインプリンタ９ａでもって印刷出力する様に設定する。」（第４頁左欄第２７〜３５行）。
　
　［引用例５］
　ａ．「従来、複数台の印字装置を管理する方式としては、利用者が単一の印字装置を指定するか、あるいはシステム生成時に代替印字装置を指定する手法がとられており、共有使用の場合は待たされる確率が高かった。・・・本発明は、このような従来の方式における欠点をなくすことを目的としてなされたものである。本発明は、複数台の印字装置をグループ化し、選択順位、出力量に従って最適な印字装置を選択し出力する点に特徴があり、効率の良い印字装置の運用を実現している。」（第１頁右下欄第１〜１３行）、
　ｂ．「利用者１は、印字装置を使用するにあたって、あらかじめ自分の使用したい印字装置を一台又は複数台選択し、グループ名と印字装置の選択順位を印字装置管理機構２に登録する。」（第２頁左上欄第５〜８行）。
　
　［引用例６］
　ａ．「本発明はプリンタ装置に関し、例えば複数のプリンタ装置と連結可能なプリンタ装置に関するものである。」（第２頁左上欄第３〜５行）、
　ｂ．「従来、・・・パネルスイッチ等で設定されている一台のプリンタ装置のみが起動対象として印字動作を実施する。・・・また、起動させるプリンタ装置を変更する度に操作パネル等のスイッチの操作が必要となり、プリンタ装置の選択操作に煩わしさが共ってしまうという問題がある。」（第２頁左上欄第７行〜右上欄第７行）、
　ｃ．「本発明は・・・後段に接続されているプリンタ装置とハンドシェイクによるデータ転送機能を持たせ、複数台のプリンタ装置を各々独立にマルチ駆動することのできるプリンタ装置を提供する点にある。」（第２頁右上欄第８〜１３行）、
　ｄ．「第１図は本実施例のプリンタ装置の構成を示すブロック図を示している。・・・１は本実施例のプリンタ装置を示している。・・・５は前段に接続されているホストコンピュータ・・・からのデータを受信するセントロニクス準拠インターフェースを有するＰＩＯを示している。６は前段に接続された装置より受信したデータ（例えば、文字コード）に基づいて文字を印字するための文字パターンを発生させるキャラクタジェネレータを示している。・・・８は・・・記録紙に対して文字の印字を行なう印字部を示している。」（第３頁左上欄第５行〜左下欄第３行）。
　
　エ．対比・判断
　（１）まず、本件発明１について検討する。
　まず、引用例２をみると、上記記載ａ〜ｈを含む引用例２には、下記の発明が記載されている。
　「それぞれが個別の給紙手段を有する複数の記録部と接続している制御回路であって、キャラクタ・ジェネレータ等による文字・図形情報を格納するメモリ４と、前記記録部を選択する記録部選択手段と、メモリ４に格納されているページ単位の同一データを前記記録部選択手段の選択に基づく前記記録部へ出力するメモリ制御回路５とを有することを特徴とする制御回路。」（以下、「引用例２発明」という。）
　そこで、本件発明１と引用例２発明とを対比する。
　引用例２発明の「記録部」、「制御回路」、「メモリ制御回路５」は、それぞれ、本件発明１の「印刷装置」、「印刷制御装置」、「転送手段」に相当する。
　本件発明１における「印刷装置の選択を受け付ける受付手段」という記載における「印刷装置の選択」とは、願書に添付した明細書の「印刷装置の選択を受け付けて、選択された印刷装置に」（段落【０００１】、【００２０】参照）という記載からみて、どの印刷装置を使用するかの選択指令を指しているものと解される。
　引用例２発明においては、記録部選択手段の記録部の選択というはたらきにより、記録部（印刷装置）が選択され、この選択に基づいて、「制御回路」が選択された記録部（印刷装置）でデータが記録されるように制御するものであるから、上記記録部選択手段が、どの記録部（印刷装置）を使用するかの選択指令を創出していること、及び、上記「制御回路」は、該選択指令を受け付ける手段を備えていることは自明である。
　してみると、本件発明１と引用例２発明とは、
「それぞれが個別の給紙手段を有する複数の印刷装置と接続している印刷制御装置であって、データを格納する記憶手段と、前記印刷装置の選択指令を受け付ける受付手段と、前記記憶手段に格納されている同一データを、前記受付手段により受け付けられた前記選択指令に基づく前記印刷装置へ転送する転送手段とを有することを特徴とする印刷制御装置。」である点で一致し、次の点で相違する。
　相違点１：本件発明１が、ホストコンピュータからデータを受信する受信手段と、前記受信手段により受信されたデータを格納する第１記憶手段と、前記第１記憶手段に格納されているデータを解析し、展開する解析展開手段と、前記解析展開手段により展開されたデータをぺージ単位で格納する第２記憶手段とを有するとしているのに対して、引用例２発明においては、その点が明確でない点。
　相違点２：記憶手段に格納され、印刷装置に転送されるデータが、本件発明１では、ホストコンピュータから受信されるデータが解析展開されたデータであるのに対して、引用例２発明においては、キャラクタ・ジェネレータ等による文字・図形情報である点。
　
　上記相違点について検討する。
　まず、相違点１について。
　引用例３及び引用例６にも記載されているように、ホストコンピュータ等の外部から入力された文字コード等の印字データを記録する記録装置に、文字コード等の印字データを受信する受信手段、該受信した印字データを格納する第１記憶手段、キャラクタ・ジェネレータ等の解析展開手段により展開された記録情報をぺージ単位で格納する第２記憶手段とを有するようにすることは、従来周知であることを勘案すれば、引用例２発明において、ホストコンピュータ等の外部から受信された文字コード等の印字データを、記録装置が有するキャラクタ・ジェネレータ等の解析展開手段により展開された記録情報を記録する際に、文字コード等の印字データを受信する受信手段、該受信した印字データを格納するる第１記憶手段、キャラクタ・ジェネレータ等の解析展開手段により展開された記録情報をぺージ単位で格納する第２記憶手段とを有するようにすることは、上記引用例２の記載事項ｈから自明である。
　したがって、引用例２発明において、本件発明１が採用している上記相違点１の構成を採るようにすることは、当業者が容易に想到し得ることである。
　次に、相違点２について。
　また、同じく引用例３及び引用例６にも記載されているように、固体撮像素子によって読み取った原稿情報でない記録情報（データ）を記録する記録装置において、ホストコンピュータ等の外部から受信する文字コード等の印字データを、キャラクタ・ジェネレータ等の解析展開手段により展開した記録情報（データ）を記録することは、従来周知であることを勘案すれば、上記引用例２の記載事項ｈは、ホストコンピュータ等の外部から受信する文字コード等の印字データに基づいて、キャラクタ・ジェネレータ等を使用して得られた記録情報（印字データをキャラクタ・ジェネレータ等の解析展開手段により展開したデータ）を、記録することを示唆しているといえる。
　してみると、引用例２発明において、本件発明１が採用している上記相違点２の構成を採るようにすることは、当業者が容易に想到し得ることである。
　
　本件発明１の奏する効果についてみても、引用例２に記載された発明及び周知技術から当業者が予測し得る範囲のものであり、格別のものとはいえない。
　
　したがって、本件発明１は、引用例２に記載された発明及び周知技術に基づいて当業者が容易に発明をすることができたものであり、特許法第２９条第２項の規定により特許を受けることができない。
　
　（２）次に、本件発明２について検討する。
　本件発明２は、本件発明１における受付手段を、パネルであることに限定したものである。
　引用例２には、操作パネル１９は記録枚数を設定するダイアル、記録開始を指示するスタートボタン等を有するとされており、操作パネル１９が同時記録を行う記録部の選択に直接的に関与しているか否か明確ではない。しかしながら、上記記載ａ、ｅ、ｇから判断すると、操作パネル等によって指定された記録枚数が制御回路１８の枚数カウンタにセットされることによって、同時記録を行う記録部の選択ができるようになっているものであり、操作パネルが印刷装置の選択に間接的に関与しているものである。
　そして、引用例４、引用例６等に記載されているように、複数の印刷装置が接続されている上位装置において、パネルを用いて印刷装置を選択すること、即ち、どの印刷装置を使用するかの選択指令を受け付ける手段としてパネルを使用することは周知である。
　したがって、本件発明２のように構成することは、引用例２に記載された発明及び周知技術に基づいて当業者が容易に発明をすることができたものであり、特許法第２９条第２項の規定により特許を受けることができない。
　
　（３）次に、本件発明３及び本件発明４について検討する。
　本件発明３及び本件発明４は、それぞれ、本件発明１及び本件発明２を、発明のカテゴリーを単に方法の発明として規定したものであり、上記（１）及び（２）で説示したと同様の理由により、特許法第２９条第２項の規定により特許を受けることができない。
　
　（４）なお、特許権者は、「引用例２に記載の装置では、複数の印刷装置にデータを転送するものの、そのデータはその装置で読み込まれたデータであり、印字処理とはコピー処理であります。従って、一人のユーザが複写操作を行なっている場合には、他のユーザはその装置を全く使用することができず、データを装置に入力しておくことすらできません。」（平成１３年６月４日付け特許異議意見書第６頁第１４〜１８行）と主張している。
　しかしながら、先にも説示したように、引用例２発明のデータは、キャラクタ・ジェネレータ等による文字・図形情報であり、必ずしも複数の印刷装置で読み込まれたデータではないから、上記主張は採用できない。
　
　オ．むすび
　以上のとおりであるから、本件発明１乃至本件発明４についての特許は拒絶の査定をしなければならない特許出願に対してなされたものと認める。
　したがって、特許法等の一部を改正する法律（平成６年法律第１１６号）附則第１４条の規定に基づく、特許法等の一部を改正する法律の施行に伴う経過措置を定める政令（平成７年政令第２０５号）第４条第１項及び第２項の規定により、結論のとおり決定する。
【異議決定日】
平成１４年２月１５日（２００２．２．１５）
【訂正の要旨】
訂正の要旨（２０００年異議第７２８０２号）
　特許権者が求める特許明細書の訂正は、次の訂正からなる。
　訂正事項ａ：請求項１及び請求項３記載の「外部装置」を「ホストコンピュータ」とそれぞれ訂正する。
　訂正事項ｂ：明細書段落【０００５】及び【０００６】の「外部装置」を「ホストコンピュータ」とそれぞれ訂正する。
　訂正事項ｃ：請求項２及び請求項４記載の「表示パネル」を「パネル」とそれぞれ訂正する。
　訂正事項ｄ：明細書段落【０００５】及び【０００６】の「表示パネル」を「パネル」とそれぞれ訂正する。
（５４）【発明の名称】
印刷制御装置および印刷制御方法
（５７）【特許請求の範囲】
　【請求項１】　それぞれが個別の給紙手段を有する複数の印刷装置と接続している印刷制御装置であって、
　
ホストコンピュータ
　前記受信手段により受信されたデータを格納する第１記憶手段と、
　前記第１記憶手段に格納されているデータを解析し、展開する解析展開手段と、
　前記解析展開手段により展開されたデータをページ単位で格納する第２記憶手段と、
　前記印刷装置の選択を受け付ける受付手段と、
　前記第２記憶手段に格納されているページ単位の同一データを、前記受付手段により受け付けられた前記選択に基づく前記印刷装置へ転送する転送手段とを有することを特徴とする印刷制御装置。
　【請求項２】　前記受付手段は、
パネル
　【請求項３】　それぞれが個別の給紙手段を有する複数の印刷装置と接続している印刷制御装置の印刷制御方法であって、
　
ホストコンピュータ
　前記受信ステップにより受信されたデータを第１記憶手段に格納する第１格納ステップと、
　前記第１記憶手段に格納されているデータを解析し、展開する解析展開ステップと、
　前記解析展開ステップにより展開されたデータをページ単位で第２記穏手段に格納する第２格納ステップと、
　前記印刷装置の選択を受け付ける受付ステップと、
　前記第２記憶手段に格納されているページ単位の同一データを、前記受付ステップにより受け付けられた前記選択に基づく前記印刷装置へ転送する転送ステップとを有することを特徴とする印刷制御方法。
　【請求項４】　前記受付ステップは、
パネル
【発明の詳細な説明】
　【産業上の利用分野】
　本発明は、印刷制御装置および印刷制御方法に関し、印刷装置の選択を受け付けて、選択された印刷装置に同一データを転送することが可能となるように改良した印刷制御装置およぶ印刷制御方法に関する。
　【従来の技術】
　従来、印刷装置は印字手段が１つであったので、同時に動く印刷プロセスは１つのみであり、一回の印字では１つの出力を得るのが通常であった。
　【発明が解決しようとする課題】
　しかしながら、上記のような従来例では、高速印字を希望する場合に１つの印刷プロセスでは限界があった。
　そこで、本発明の目的は、上述の点に鑑みて、印刷装置の選択を受け付けて、選択された印刷装置に同一データを転送することが可能である印刷制御装置および印刷制御方法を提供することにある。
　【課題を解決するための手段】
　上記目的を達成するため、請求項１に記載の発明は、それぞれが個別の給紙手段を有する複数の印刷装置と接続している印刷制御装置であって、
ホストコンピュータ
　ここで、前記受付手段は、
パネル
　また、上記目的を達成するため、請求項３に記載の発明は、それぞれが個別の給紙手段を有する複数の印刷装置と接続している印刷制御装置の印刷制御方法であって、
ホストコンピュータ
　ここで、前記受付ステップは、
パネル
　【作用】
　本発明では、上記構成により、印刷装置の選択を受け付けて、選択された印刷装置に同一データを転送することが可能である。
　【実施例】
　以下、図面を参照して本発明の実施例を詳細に説明する。
　図１は、本発明の一実施例の印刷装置の概略構成を示す。図１において、１−１はホストコンピュータなどの外部機器、１−２は印刷装置本体、１−３はプリンタコントローラ部、１−４及び１−５はプリンタコントローラ部１−３に制御されるエンジン１，エンジン２を示す。
　図２は、図１のプリンタコントローラ部１−３の内部構成を示す。図２において、２−３はアドレス・データバス、２−４はバッファ部を含むホストＩ／Ｆ（インタフェース）、２−５はプリンタコントローラ部１−３を制御するＣＰＵ（中央演算処理装置）、２−６はＲＯＭ（リードオンリメモリ）部、２−７はＣＰＵ２−５により制御されるＤＭＡ（ダイレクトメモリアクセスコントローラ）部、および２−８はパネル部である。２−９は１−４のエンジン１に送るためのデータを蓄えておくための出力バッファ部を含むＩ／Ｆ回路部１、２−１０は１−５のエンジン２に送るためのデータを蓄えておくための出力バッファ部を含むＩ／Ｆ回路２、および２−１１はＲＡＭ（ランダムアクセスメモリ）である。
　上記ＤＭＡ部２−７はＣＰＵ２−５により制御され、入力部分が１つ、出力部分が２つあり、ＲＡＭ２−１１に格納されたデータをＩ／Ｆ回路２−９又は２−１０内のバッファにＦＩＦＯ（ファストインファストアウト）形式でバス２−３を介して送り、その出力バッファからプロトコルにそってエンジン１−４，１−５に出力する。
　図３は本発明の一実施例の処理手順を示す。
　まず、最初に外部機器１−１からデータを受信して、ステップＳ３−１でホストＩ／Ｆ２−４内のバッファにデータがある場合には、ステップＳ３−２でそのデータを解析し、ステップＳ３−３で解析したデータのコードがデータ終了コードか否かを調べ、データのコードがデータ終了コードでない場合はステップＳ３−４でそのデータを展開してＲＡＭ２−１１に蓄積してからステップＳ３−１に戻り、上記と同じことを繰り返す。
　ステップＳ３−３でデータのコードがデータ終了コードであった場合には、ステップＳ３−５でＣＰＵ２−５がＤＭＡ２−７を起動し、ステップＳ３−６及びステップＳ３−７でそれぞれＩ／Ｆ回路１（２−９）、ＩＦ回路２（２−１０）を起動する。
　ここで、ＲＡＭ２−１１内の展開されたデータを２−９のＩ／Ｆ回路１内の出力バッファと２−１０のＩ／Ｆ回路２内の出力バッファに異なったデータでＤＭＡ２−７が振り分ける。これら出力バッファ内のデータはＦＩＦＯ方式で管理され、出力バッファ内がいっぱいになるまでＲＡＭ２−１１からデータを格納し続ける。出力バッファのデータがいっぱいになると、エンジン１（１−４）及びエンジン２（１−５）を起動して、Ｉ／Ｆ回路内の出力バッファのデータをそれぞれ対応のエンジン１，２へ送り、印字を行なう。その後、ステップＳ３−１に戻り、データ受信待ちの状態になり、データを受信したら、以下上述と同様の処理を繰り返す。
（その他の実施例１）
　上記実施例では、異なったデータをＩ／Ｆ回路２−９内の出力バッファとＩ／Ｆ回路２−１０内の出力バッファに送ったが、ＤＭＡ２−７により同じデータを各Ｉ／Ｆ回路内のバッファに送って印刷をすることもできる。
（その他の実施例２）
　上記実施例では、エンジンが２つの場合を扱ったが、２つ以上のエンジンを設けた場合であっても上記と同様に構成でき、更に高速印字が得られる。
（その他の実施例３）
　上記実施例では、同時に２つのエンジンを起動させる場合を扱ったが、このような構成でも単体で動かすことも可能である。
（その他の実施例４）
　エンジンが複数ある場合に、パネル２−８等により使いたいエンジンが選択できるようにしても好ましい。
　【発明の効果】
　以上説明したように、請求項１及び３の記載によれば、本発明に係る印刷制御装置は、印刷装置の選択を受け付けて、選択された印刷装置に同一データを転送することが可能であるという効果を奏する。
【図面の簡単な説明】
　【図１】
　本発明の一実施例の印刷装置の概略構成を示すブロック図である。
　【図２】
　本発明の一実施例の図１のプリンタコントローラ部の内部構成を示すブロック図である。
　【図３】
　本発明の一実施例の処理手順を示すフローチャートである。
　【符号の説明】
　１−１　外部機器
　１−２　印刷装置本体
　１−３　プリンタコントローラ部
　１−４　エンジン部１
　１−５　エンジン部２
　２−３　アドレス・データバス
　２−４　ホストＩ／Ｆ
　２−５　ＣＰＵ
　２−６　ＲＯＭ
　２−７　ＤＭＡ
　２−８　パネル
　２−９　Ｉ／Ｆ回路部１
　２−１０　Ｉ／Ｆ回路部２
　２−１１　ＲＡＭ